(57)【特許請求の範囲】
【請求項１】
長手方向と交差する方向から、所定以上の外力が作用した際に導通状態となるコードスイッチであって、
対向配設された帯状の１対の電極部材（４１、４２）の間に互いに所定の間隔を有して前記１対の電極部材（４１、４２）の長手方向に平行に延びる第１、第２、第３の絶縁部材（４４ａ〜４４ｃ）を介在させることにより、前記第１の絶縁部材（４４ａ）と前記第２の絶縁部材（４４ｂ）の間における前記１対の電極部材（４１、４２）の部位にその部位の前記１対の電極部材が変形することにより両者が接触して導通状態となる第１接触部（４０ａ）と、前記第２の絶縁部材（４４ｂ）と前記第３の絶縁部材（４４ｃ）の間における前記１対の電極部材（４１、４２）の部位にその部位の前記１対の電極部材が変形することにより両者が接触して導通状態となる第２接触部（４０ｂ）とを有するスイッチ部（４０）と、
前記スイッチ部（４０）が挿入される１つの空間を有し、前記両接触部（４０ａ、４０ｂ）の外側を覆う、弾性変形可能な絶縁材料からなるチューブ（５）とを備え、
前記チューブ（５）は、前記空間の内壁のうち、前記第１接触部（４０ａ）の電極部材に対応する部位に形成され、前記第１接触部（４０ａ）側に向けて突出する第１突出部（４６ａ）と、前記空間の内壁のうち、前記第２接触部（４０ｂ）の電極部材に対応する部位に形成され、前記第２接触部（４０ｂ）側に向けて突出する第２突出部（４６ｂ）とを有することを特徴とするコードスイッチ。
【請求項２】
前記両突出部（４６ａ、４６ｂ）の先端側は、曲面状に形成されていることを特徴とする請求項１に記載のコードスイッチ。
【請求項３】
前記両突出部（４６ａ、４６ｂ）は、その根元側に向かうほど、断面積が大きくなるように形成されていることを特徴とする請求項１または２に記載のコードスイッチ。
【発明の詳細な説明】
【０００１】
【発明の属する技術分野】
本発明は、長手方向と交差する方向から所定以上の外力が作用した際に導通状態となるコードスイッチに関するもので、窓ガラスと窓枠との間で異物の挟み込みが発生したときに、パワーウインドウを駆動するモータを反転させることにより異物挟み込みを防止する挟み込み防止機構付きパワーウインドウの窓枠用外力センサに用いて好適である。
【０００２】
【従来の技術】
例えば特開平５９−６３６２０号公報に記載のコードスイッチは、帯状に形成された一対の電極部材を所定間隔を有して配設している。
【０００３】
【発明が解決しようとする課題】
ところで、パワーウインドウにおける挟み込み外力方向は、窓枠および窓ガラスとコードスイッチとの相対位置関係によっても変化するが、コードスイッチ（両電極部材）に対して垂直方向から印加することは稀で、斜め横方向から外力が作用することが多い。
【０００４】
これに対して、上記公報に記載のコードスイッチは、一対の電極部材を対向配設するとともに、外力により電極部材を変形させて両電極部材が接触することにより外力（異物挟み込み）を検出するものであるので、電極部材に対して斜め横方向からの外力が作用すると、電極部材に直角に作用する外力成分が小さくなり、電極部材を変形する力が小さくなる。
【０００５】
このため、上記公報に記載のコードスイッチでは、外力の作用方向によっては、両電極部材が接触しない場合が発生するので、この場合には、異物挟み込みを検出することができないという問題が発生する。
この問題に対して、電極部材の剛性を小さくするといった手段が考えられるが、この手段では、小さな外力で両電極部材が接触してしまうので、実際に異物挟み込みが発生していないのにモータが反転してしまうという不具合が発生する可能性が高い。
【０００６】
したがって、上記公報に記載のコードスイッチを使用した挟み込み防止機構付きパワーウインドウでは、異物挟み込みを確実に防止することができない。
本発明は、上記点に鑑み、広い外力の作用方向に対して確実に外力を検出することができるコードスイッチを提供することを目的とする。
【０００７】
【課題を解決するための手段】
本発明は、上記目的を達成するために、以下の技術的手段を用いる。請求項１〜３に記載の発明では、長手方向と交差する方向から、所定以上の外力が作用した際に導通状態となるコードスイッチであって、対向配設された帯状の１対の電極部材（４１、４２）の間に互いに所定の間隔を有して前記１対の電極部材（４１、４２）の長手方向に平行に延びる第１、第２、第３の絶縁部材（４４ａ〜４４ｃ）を介在させることにより、前記第１の絶縁部材（４４ａ）と前記第２の絶縁部材（４４ｂ）の間における前記１対の電極部材（４１、４２）の部位にその部位の前記１対の電極部材が変形することにより両者が接触して導通状態となる第１接触部（４０ａ）と、前記第２の絶縁部材（４４ｂ）と前記第３の絶縁部材（４４ｃ）の間における前記１対の電極部材（４１、４２）の部位にその部位の前記１対の電極部材が変形することにより両者が接触して導通状態となる第２接触部（４０ｂ）とを有するスイッチ部（４０）と、前記スイッチ部（４０）が挿入される１つの空間を有し、前記両接触部（４０ａ、４０ｂ）の外側を覆う、弾性変形可能な絶縁材料からなるチューブ（５）とを備え、前記チューブ（５）は、前記空間の内壁のうち、前記第１接触部（４０ａ）の電極部材に対応する部位に形成され、前記第１接触部（４０ａ）側に向けて突出する第１突出部（４６ａ）と、前記空間の内壁のうち、前記第２接触部（４０ｂ）の電極部材に対応する部位に形成され、前記第２接触部（４０ｂ）側に向けて突出する第２突出部（４６ｂ）とを有することを特徴とする。
【０００８】
これにより、本発明に係るコードスイッチは、複数の接触部（４０ａ、４０ｂ）において、外力を検出することとなるので、広い外力の作用方向に対して外力を検出することができる。
また、各接触部（４０ａ、４０ｂ）の電極部材に対応する部位に第１、２突出部（４６ａ、４６ｂ）が形成されているので、各接触部（４０ａ、４０ｂ）には、各突出部（４６ａ、４６ｂ）と各接触部（４０ａ、４０ｂ）との接触部位を介して外力が作用することとなる。
【０００９】
したがって、各接触部（４０ａ、４０ｂ）には、外力が前記接触部位に集中的に作用するので、電極部材の剛性を小さくすることなく、電極部材を変形させて導通状態とすることができ、上記不具合を防止することができる。
以上に述べたように、本発明によれば、広い外力の作用方向に対して確実に外力を検出することができるので、本発明に係るコードスイッチを挟み込み防止機構付きパワーウインドウに使用すれば、確実に異物挟み込みを確実に防止することができる。
【００１０】
請求項２に記載の発明では、両突出部（４６ａ、４６ｂ）の先端は、曲面状に形成されていることを特徴とする。
これにより、各突出部（４６ａ、４６ｂ）と各接触部（４０ａ、４０ｂ）との接触部位の面積が過度に大きくなることを防止しつつ、各突出部（４６ａ、４６ｂ）と各接触部（４０ａ、４０ｂ）とが接触し得る面積を拡大することできる。したがって、電極部材の剛性を小さくすることなく、広い外力の作用方向に対して外力を検出することができる。
【００１１】
ところで、外力は各突出部（４６ａ、４６ｂ）を介して各接触部（４０ａ、４０ｂ）に伝達されるので、広い外力の作用方向に対して外力を接触部（４０ａ、４０ｂ）伝達するには、突出部（４６ａ、４６ｂ）のうち、外力が作用する側に位置する部位（以下、この部位を受圧部と呼ぶ。）の面積が大きい方がよい。
そこで、請求項３に記載の発明では、両突出部（４６ａ、４６ｂ）は、その根元側に向かうほど、断面積が大きくなるように形成されていることを特徴とする。
【００１２】
これにより、受圧部である両突出部（４６ａ、４６ｂ）の根元側の面積が大きくなるので、広い外力の作用方向に対して外力を接触部（４０ａ、４０ｂ）伝達することができる。
なお、上記各手段の括弧内の符号は、後述する実施形態記載の具体的手段との対応関係を示すものである。
【００１３】
【発明の実施の形態】
本実施形態は、本発明に係るコードスイッチを挟み込み防止機構を有する車両用動力付窓開閉装置（以下、パワーウインドウと略す。）に適用してものであって、図１は挟み込み防止機構付きパワーウインドウの模式図である。
図１中、１は窓開口３ｃを開閉する窓ガラス（窓体）２を昇降駆動させる駆動モータであり、３は窓開口３ｃを区画する窓枠である。この窓枠３の室内側の周縁には、窓枠３に作用する外力を検出するコードスイッチ４が窓枠３の前辺部３ａから上辺部３ｂに渡って配設されており、このコードスイッチ４のスイッチ部（接触部）４０は、図２に示すように、窓ガラス２と窓枠３との隙間を密閉するゴム製のウエザストリップ５内に挿入されている。なお、コードスイッチ４の構造は後述する。
【００１４】
また、コードスイッチ４は、所定値以上の外力が作用すると信号４ａを発するものであり、信号４ａが発せられると、その信号４ａは制御装置６に入力される。そして、信号４ａが入力すると、制御装置６は駆動モータ１に対して窓ガラス２の開方向に反転させるように反転信号６ａを発する（図１参照）。
次に、コードスイッチ４について述べる。
【００１５】
図３はコードスイッチ４のスイッチ部４０の拡大図であり、４１、４２は金属製の薄板からなる帯状の第１、２電極部材であり、これら両電極部材４１、４２は、図２に示すように、所定の絶縁空隙（隙間）４３ａ〜４３ｃを介在させて対向配設されている。また、絶縁空隙４３ａ〜４３ｃは、図３に示すように、両電極部材４１、４２間に介在する複数本の絶縁部材４４ａ〜４４ｄにより形成されており、これら絶縁部材４４ａ〜４４ｄは、互いに所定の間隔を有して両電極部材４１、４２の長手方向に平行に延びて形成されている。なお、本実施形態では、絶縁部材４４ａ〜４４ｄは、第１電極部材４１に絶縁材料を塗布することにより形成している。
【００１６】
このため、スイッチ部４０は、絶縁部材４４ａ〜４４ｄにより、平行な３つ部位（スイッチ部）に区画された構造となるので、以下、絶縁部材４４ａ、４４ｂ間における両電極部材４１、４２の部位を第１スイッチ部４０ａと呼び、絶縁部材４４ｂ、４４ｃ間における両電極部材４１、４２の部位を第２スイッチ部４０ｂと呼び、絶縁部材４４ｃ、４４ｄ間における両電極部材４１、４２の部位を第３スイッチ部４０ｃと呼ぶ（図２参照）。
【００１７】
また、第２電極部材４２には、その長手方向の直交する方向（以下、この方向を幅方向と呼ぶ。）に延びて第２電極部材４２の肉厚方向に貫通するスリット４２ａが幅方向に平行に複数本形成されている。因みに、このスリット４２ａは、その幅寸法（第２電極部材４２の長手方向寸法）を変化させることにより、第２電極部材４２が第１電極部材４１側に撓み変形する際の撓み剛性（曲げ剛性）を調節するものである。
【００１８】
因みに、４５は、両電極部材４１、４２に密着して両電極部材４１、４２を覆う、樹脂製の保護フィルムである。
また、スイッチ部４０が挿入されたウエザストリップ（チューブ）５内空間の内壁のうち、第２電極部材４２側の各スイッチ部４０ａ〜４０ｃに対応する部位には、各スイッチ部側４０ａ〜４０ｃに向けて突出する第１〜３突起部４６ａ〜４６ｃが形成されている。そして、これら第１〜３突起部４６ａ〜４６ｃは、その先端（スイッチ部４０に接触する部位）が曲面状として、その根元側に向かうほど断面積が大きくなるように形成されている。
【００１９】
以上に述べた構造により、コードスイッチ４は、図２に示すように、ウエザストリップ５の外方側から外力Ｆが作用すると、いずれかの突起部がいずれかスイッチ部に接触して、第２電極部材４２を第１電極部材４１側に撓み変形させる。これにより、両電極部材４１、４２が接触して導通状態となり、信号４ａが制御装置６に向けて発せらる。
【００２０】
次に、本実施形態の特徴を述べる。本実施形態に係るコードスイッチ４では、互いに平行に形成された３つのスイッチ部４０ａ〜４０ｃと、各スイッチ部４０ａ〜４０ｃの第２電極部材４２側に対応する部位に形成された３つの突出部４６ａ〜４６ｃとを備えているので、複数のスイッチ部４０ａ〜４０ｃにおいて、外力を検出することとなるので、広い外力の作用方向に対して外力を検出することができる。
【００２１】
また、各スイッチ部４０ａ〜４０ｃに対応する部位に各突出部４６ａ〜４６ｃが形成されているので、各スイッチ部４０ａ〜４０ｃには、各突出部４６ａ〜４６ｃと各スイッチ部４０ａ〜４０ｃとの接触部位を介して外力が作用することとなる。
したがって、各スイッチ部４０ａ〜４０ｃには、外力が接触部位に集中的に作用するので、第２電極部材４２の剛性を過度に小さくすることなく、第２電極部材４２を変形させて導通状態とすることができる。延いては、実際に異物挟み込みが発生していないのに駆動モータ１が反転してしまうという不具合を防止することができる。
【００２２】
以上に述べたように、本実施形態に係るコードスイッチ４によれば、広い外力の作用方向に対して確実に外力を検出することができるので、パワーウインドウにおいて確実に異物挟み込みを確実に防止することができる。
また、各突出部４６ａ〜４６ｃの先端は、略曲面状に形成されているので、各突出部４６ａ〜４６ｃと各スイッチ部４０ａ〜４０ｃとの接触部位の面積が過度に大きくなることを防止しつつ、各突出部４６ａ〜４６ｃと各スイッチ部４０ａ〜４０ｃとが接触し得る接触部位の面積を拡大することできる。したがって、第２電極部材４２の剛性を過度に小さくすることなく、広い外力の作用方向に対して外力を検出することができる。
【００２３】
また、各突出部４６ａ〜４６ｃは、その根元側に向かうほど、断面積が大きくなるように形成されているので、前述のごとく、受圧部である各突出部４６ａ〜４６ｃの根元側の面積が大きくなり、広い外力の作用方向に対して外力をスイッチ部４０ａ〜４０ｃ伝達することができる。
ところで、上述の実施形態では、両電極部材４１、４２によって構成されるスイッチ部４０を絶縁部材４４ａ〜４４ｄにより区画することにより各スイッチ部４０ａ〜４０ｃを構成したが、本発明に係るコードスイッチ４はこれに限定されるものではなく、各スイッチ部４０ａ〜４０ｃを別体に構成し、保護フィルム４５により一体化してもよい。
【００２４】
また、上述の実施形態では、３つのスイッチ部４０ａ〜４０ｃを構成したが、本発明は、少なくとも２つのスイッチ部を有していればよい。
また、上述の実施形態では、ウエザストリップ５と、各スイッチ部４０ａ〜４０ｃの外側を覆う弾性変形可能な絶縁材料からなるチューブとを一体化したが、前記チューブとウエザストリップ５とを別体化し、各突出部４６ａ〜４６ｃを前記チューブの内壁に形成してもよい。
【００２５】
また、上述の実施形態では、スリット４２ａを第２電極部材４２に形成したが、第１電極部材４１に形成してもよく、またさらに、スリット４２ａを廃止してもよい。
また、上述の実施形態では、両電極部材４１、４２を金属製としたが、導電性ゴムもしくは樹脂製とする、または、弾性変形可能な絶縁材料からなるチューブの内壁に金属箔を張り付ける、もしくは金属粉を塗布する等により両電極部材４１、４２を構成してもよい。
【００２６】
なお、上述の実施形態では、各スイッチ部４０ａ〜４０ｃの幅方向の寸法を、図３に示すように、略同一としたが、本発明はこれに限定されるものではなく、各スイッチ部４０ａ〜４０ｃの幅方向の寸法は、窓枠３および窓ガラス２とコードスイッチ４との相対位置関係によって適宜変更されるものである。
【図面の簡単な説明】
【図１】パワーウインドウの模式図である。
【図２】図１のＡ−Ａ断面図である。
【図３】コードスイッチのスイッチ部の拡大図である。
【符号の説明】
４…コードスイッチ、４１…第１電極部材、４２…第２電極部材、
４３ａ〜４３ｃ…絶縁空隙（隙間）、
４４ａ…第１スイッチ部（第１接触部）、
４４ｂ…第２スイッチ部（第２接触部）、４４ｃ…第３スイッチ部、
４６ａ…第１突出部、４６ｂ…第２突出部、４６ｃ…第３突出部。
【図１】
0003855374.tif 000002
【図２】
0003855374.tif 000003
【図３】
0003855374.tif 000004